(57)【要約】【課題】イヤーカップに接続するケーブルをＬまたはＲの片側で良いようにし、かつヘッドバンドを使用者の好みに応じ容易に交換してカスタマイズ可能としたヘッドホンを提供する。【解決手段】  幅方向の両端部にそれぞれＬＲ間接続ケーブル着脱用の溝１ａが形成されたヘッドバンド１と、このヘッドバンド１の長さ方向の両端部側に着脱自在で、かつプラグ接続用のジャック１１がそれぞれ設けられたイヤーカップ３とを備え、各イヤーカップ３はＬＲ間ケーブル４で接続され、かついずれか一方のイヤーカップ３に設けられたジャック１１にプラグ６を接続し、各イヤーカップ３の音響変換器を駆動可能とした。【選択図】図１
2015104029.tif 000002
【特許請求の範囲】
【請求項１】
幅方向の両端部にそれぞれＬＲ間接続ケーブル着脱用の溝１ａが形成されたヘッドバンド（１）と、このヘッドバンド（１）の長さ方向の両端部側に着脱自在で、かつプラグ接続用のジャック（１１）がそれぞれ設けられたイヤーカップ（３）とを備え、各イヤーカップ（３）はＬＲ間ケーブル（４）で接続され、かついずれか一方のイヤーカップ（３）に設けられたジャック（１１）にプラグ（６）を接続し、各イヤーカップ（３）の音響変換器を駆動することを特徴とするヘッドホン。
【請求項２】
請求項１記載のヘッドホンにおいて、前記ヘッドバンド（１）の下端部に前記ＬＲ間ケーブル（４）を着脱自在とする切欠き状のコードストッパー取付部（１ｂ）が形成され、このコードストッパー取付部（１ｂ）に前記ＬＲ間ケーブル（４）が着脱自在なコードストッパー（８）を前記コードストッパー取付部（１ｂ）に着脱自在としたことを特徴とするヘッドホン。
【請求項３】
請求項２記載のヘッドホンにおいて、前記コードストッパー取付部（１ｂ）に磁性板（９）が設けられ、この磁性板（９）に吸着されるマグネット（１０）を介し前記コードストッパー（８）が着脱自在であることを特徴とするヘッドホン。
【請求項４】
請求項２または３記載のヘッドホンにおいて、前記コードストッパー（８）の各側面部にほぼくの字状に第１、第２のケーブル収納部ａ、ｂが形成され、これら第１、第２のケーブル収納部ａ、ｂに前記ＬＲ間ケーブル（４）が着脱自在であることを特徴とするヘッドホン。
【発明の詳細な説明】
【技術分野】
【０００１】
本発明は、音楽等を再生するオ−バーヘッド型のヘッドホンに関する。
【背景技術】
【０００２】
この種のヘッドホンは、頭部に装着されるほぼ逆Ｕ字状のヘッドバンドの両端部にそれぞれ左耳用（以下、単にＬという）、右耳用（以下、単にＲという）のイヤーカップ（ヘッドホンとも云う）が設けられている。
【０００３】
各イヤーカップ内には、振動板や、それを駆動する磁気回路からなる音響変換器が内装され、磁気回路の磁気ギャップに置かれたボイスコイルに音声信号を送り、振動板を振動させるように構成されている。
【０００４】
したがって、各ＬＲのイヤーカップには、内部の音響変換器へ音声信号を送るためのケーブルがそれぞれ接続される。
【先行技術文献】
【特許文献】
【０００５】
【特許文献１】実用新案登録第３１６５５５５号
【発明の概要】
【発明が解決しようとする課題】
【０００６】
この特許文献１のヘッドホンでは、ＬＲのイヤーカップそれぞれにケーブルが接続され、使用時にそれらのケーブルが左右の耳の下から肩にかけて垂れ下がる状態となるため、ケーブルが邪魔で煩わしく、使い勝手が悪いという課題があった。
また、各イヤーカップはヘッドバンドから取り外し、ヘッドバンドとイヤーカップとを分離できるようになっているが、分離しても各イヤーカップ自体にそれぞれケーブルが設けられているため、それらのケーブルが邪魔になる、という課題があった。
【０００７】
この発明は、上記のことの鑑み提案されたもので、その目的とするところは、ケーブルをＬまたはＲのイヤーカップの片側のみとし、加えてヘッドバンドを任意、かつ容易に交換可能とし、ユーザーが自分の好みに応じカスタマイズし得るヘッドホンを提供することにある。
【課題を解決するための手段】
【０００８】
上記課題を解決するために請求項１に係る本発明のヘッドホンは、幅方向の両端部にそれぞれＬＲ間接続ケーブル着脱用の溝１ａが形成されたヘッドバンド１と、このヘッドバンド１の長さ方向の両端部側に着脱自在で、かつプラグ接続用のジャック１１がそれぞれ設けられたイヤーカップ３とを備え、各イヤーカップ３はＬＲ間ケーブル４で接続され、かついずれか一方のイヤーカップ３に設けられたジャック１１にプラグ６を接続し、各イヤーカップ３の音響変換器を駆動することを特徴とする。
請求項２に係る本発明のヘッドホンは、請求項１記載のヘッドホンにおいて、前記ヘッドバンド１の下端部に前記ＬＲ間ケーブル４を着脱自在とする切欠き状のコードストッパー取付部１ｂが形成され、このコードストッパー取付部１ｂに前記ＬＲ間ケーブル４が着脱自在なコードストッパー８を前記コードストッパー取付部１ｂに着脱自在としたことを特徴とする。
請求項３に係る本発明のヘッドホンは、請求項２記載のヘッドホンにおいて、前記コードストッパー取付部１ｂに磁性板９が設けられ、この磁性板９に吸着されるマグネット１０を介し前記コードストッパー８が着脱自在であることを特徴とする。
請求項４に係る本発明のヘッドホンは、請求項２または３記載のヘッドホンにおいて、前記コードストッパー８の各側面部にほぼくの字状に第１、第２のケーブル収納部ａ、ｂが形成され、これら第１、第２のケーブル収納部ａ、ｂに前記ＬＲ間ケーブル４が着脱自在であることを特徴とする。
【発明の効果】
【０００９】
本発明ではイヤーカップへの接続ケーブルが１本であるため、２本のもののようにケーブルが邪魔になることはない。
また、ヘッドバンドにＬＲ間ケーブルを設け、ヘッドバンドの各下端部側にそれぞれイヤーカップを設け、ＬＲ間ケーブルを介しイヤーカップに音声信号を送るタイプのオーバーヘッド型ヘッドホンであっても、本発明では、ヘッドバンドから容易にＬＲ間ケーブルを取り外し、使用者自身によって簡単にヘッドバンドを交換することができ、ヘッドバンドの外観や装着感などの好みに合わせてカスタマイズすることができる。
【図面の簡単な説明】
【００１０】
【図１】本発明の一実施例に係るヘッドホンの正面図を示す。
【図２】本発明の一実施例に係るヘッドホンであってヘッドバンドから一方のイヤーカップを取外した状態の斜視図である。
【図３】同上の実施例の主要構成を示し、（ａ）はヘッドバンドの正面図、（ｂ）はケーブルでつながれたＬＲのイヤーカップの正面図、（ｃ）はヘッドバンドにイヤーカップを取付けた状態の正面図を示す。
【図４】本発明の一実施例の斜視図を示す。
【図５】（ａ）は本発明の一実施例のヘッドバンドのハンガーのスライド機構部分を示す正面図、（ｂ）は（ａ）図中Ａ−Ａ線断面図を示す。
【図６】本発明の一実施例におけるイヤーカップのスライド状態を示す正面図である。
【図７】（ａ）は本発明の一実施例におけるヘッドバンドのハンガーに対するイヤーカップの着脱状態を示す斜視図、（ｂ）は着脱構造を示す断面図である。
【図８】本発明の一実施例におけるヘッドバンドのハンガーから一方のイヤーカップを取外した状態を示す説明図である。
【図９】（ａ）は本発明の一実施例において、ヘッドバンドのハンガーからコードストッパーを取外した状態を示す斜視図、（ｂ）は取付け状態を示す。
【図１０】本発明の一実施例におけるヘッドホンの底面図を示す。
【発明を実施するための形態】
【００１１】
以下、本発明の一実施例を図面に基づいて説明するが、本発明は図示の実施例に限定されるものでなく、本発明の精神を逸脱しない範囲で種々の設計変更が可能であることは云うまでもない。
【００１２】
図１は本発明の一実施例であり、図中１はほぼ逆Ｕ字状をなすヘッドバンド、２はヘッドバンド１の長さ方向の各下端部に設けられたハンガー、３はハンガー２にそれぞれ設けられたＬ、Ｒ用のイヤーカップ、４は各イヤーカップ３を接続するＬＲ間ケーブル、４ａはＬＲ間ケーブル４の両端のイヤーカップ３の近くに形成された伸縮自在なループ部、５はイヤーカップ３にプラグ６を介し着脱自在に接続されるケーブルであり、ケーブル５はプレイヤ等の機器（図示せず）に接続される。
【００１３】
ヘッドバンド１は人の頭部に装着されるもので、個人毎に異なる頭部の大きさ、形状に対応すべく可僥性を有する材質からなり、かつ必要に応じパッド（図示せず）が設けられる。
【００１４】
ヘッドバンド１の各下端部に設けられたハンガー２はほぼくの字状に折曲され、下端に向って直線状に延びるイヤーカップ取付部２ａに対しイヤーカップ３がスライダー７を介し着脱自在、かつスライド自在に設けられる。
【００１５】
イヤーカップ３のハウジング３ａ内には、振動板および磁気回路からなる周知構造の音響変換器（図示せず）が設けられている。また、ハウジング３ａの前方外周部にはリング状の弾性部材からなるイヤーパッド３ｂが設けられる。
【００１６】
そして、イヤーカップ３の底部にはジャック（図１では図示せず）が設けられ、プラグ６を挿入することにより音響変換器へ音声信号が送られる。
【００１７】
また、片側のイヤーカップ３（例えばＬ側）のジャックにプラグ６を接続した場合、反対側のイヤーカップ３（Ｒ側）の音響変換器にＬＲ間ケーブル４によって音声信号が送られ、ステレオヘッドホンとして機能するように構成されている。
【００１８】
すなわち、本発明では、帯状をなすヘッドバンド１の幅方向の両端部にＬＲ間接続ケーブル着脱用の溝１ａがそれぞれ形成され、そこにＬＲ間ケーブル４を嵌め込んだり、取り外したりできるように構成されている。
【００１９】
図２はヘッドバンド１の幅方向の両端部にそれぞれ形成されたＬＲ間接続ケーブル着脱用の溝１ａから２本のＬＲ間ケーブル４を取り外し、片方のイヤーカップ３を取り外した状態を示す。なお、図１および図２中８はＬＲ間ケーブル４着脱用のコードストッパーであり、この構造については後述する。
【００２０】
図３（ａ）、（ｂ）はヘッドバンド１と、ＬＲ間ケーブル４で接続されたＬＲのイヤーカップ３とを分離した状態を示す。ヘッドバンド１の溝１ａにＬＲ間ケーブル４を嵌め込み、かつハンガー２に設けられたスライダー７を介しイヤーカップ３を取り付ければ、（ｃ）図に示すように、ヘッドホンとすることができる。
【００２１】
図４はヘッドホンの斜視図を示し、この図から分かるように、ハンガー２の直線状のイヤーカップ取付部２ａの内面にはイヤーカップ３をスライドさせる縦長のスライド溝２ｂが形成されている。
【００２２】
図５（ａ）、（ｂ）はスライダー７と、イヤーカップ取付部２ａに形成されたスライド溝２ｂを示す。
【００２３】
スライド溝２ｂはイヤーカップ取付部２ａの長さ方向に沿って延び、かつ（ｂ）図に示すように、スライド溝２ｂ内にスライド可能にスライド部７ｃが設けられ、このスライド部７ｃにスライダー７の基部７ｄが連結されている。また、（ａ）図に示すように、スライダー７がスライド溝２ｂを一定間隔でクリック的にスライドするようスライド溝２ｂに適間隔でクリック部２ｃが設けられている。また、スライダー７は所望の位置に停止させることができるようになっており、これは周知の適構造を採用すれば実現し得る。
【００２４】
図６は、イヤーカップ３を図１に示した位置から下方にスライドさせた状態を示す。
【００２５】
図７（ａ）、（ｂ）はヘッドバンド１のハンガー２にイヤーカップ３を着脱自在とする構造を示す。イヤーカップ取付部２ａから露出したスライダー７の板状部７ｂの上方中央部にボール形状のジョイント部７ａが形成され、イヤーカップ３の底面中央部にはこの板状部７ｂおよびボール形状のジョイント部７ａに対応した形状に形成された短円筒状の着脱部３ｃがあり、両者を対向配置し、ボール形状のジョイント部７ａにイヤーカップ３の着脱部３ｃを押し込むことによりスライダー７にイヤーカップ３を取り付けることができる。また、手でイヤーカップ３を持ち、やや力を入れて引き抜けばイヤーカップ３を取り外すことができる。
【００２６】
図８に片側のイヤーカップ３を取り外した状態を示す。同様にしてもう片方のイヤーカップ３を取り外すことができる。
【００２７】
図９はヘッドバンド１の下部に設けられた樹脂製のコードストッパー８の構造を示す。（ａ）図はヘッドバンド１からコードストッパー８を取り外した状態を示す斜視図、（ｂ）図はヘッドバンド１にコードストッパー８を介しＬＲ間ケーブル４を固定した状態の斜視図を示す。
【００２８】
（ａ）図に示すように、ヘッドバンド１の下部内側には切欠き状のコードストッパー取付部１ｂが形成されている。コードストッパー８は、ほぼ平面状をなす長方形の上面部８ａと、その長辺の両側にそれぞれ湾曲形成された側面部８ｂと、上面部８ａの短辺側にそれぞれ形成された端面部８ｃとを有している。そして、各側面部８ｂの下部には、図示の状態において、上部からほぼ中央にわたって直線的に延びる溝状の第１のケーブル収納部ａが形成され、ほぼ中央から上面部８ａの側辺下端部側に向って第１のケーブル収納部ａに対しほぼくの字状に延びる第２のケーブル収納部ｂが形成されている。これら第１、第２のケーブル収納部ａ、ｂに、断面がほぼ円形をなすＬＲ間ケーブル４を嵌め込んで固定できるようになっている。なお、ＬＲ間ケーブル４は取り外し自在となっているため、２本のＬＲ間ケーブル４はループ部４ａを介し１本にまとめられる。
【００２９】
ヘッドバンド１側のコードストッパー取付部１ｂの上面には長さ方向に渡ってほぼ長方形状の磁性板９が設けられ、例えばほぼ円形をなす少なくとも一以上のマグネット１０を吸着できるように構成されている。マグネット１０の上面には両面テープ１０ａの下面が貼着され、両面テープ１０ａの上面にコードストッパー８の上面部８ａの裏側を貼着すれば、（ｂ）図に示すように、ＬＲ間ケーブル４が固定されたコードストッパー８をヘッドバンド１に固定することができる。取り外したい場合、指でつかんで若干力を入れ、マグネット１０の吸着力に抗して引き外せば良い。
【００３０】
また、ヘッドバンドにＬＲ間ケーブルを設け、ヘッドバンドの下端部にイヤーカップに音声信号を送るタイプのオーバーヘッド型ヘッドホンにおいても、本発明では、ヘッドバンド１のＬＲ間接続ケーブル着脱用の溝１ａに嵌め込まれているＬＲ間ケーブル４を容易に取り外すことができ、ヘッドバンド１とイヤーカップ３とを、図３（ａ）、（ｂ）に示したように、容易に分離することができ、別途用意された所望の色、デザインの外観や装着感のヘッドバンド１と交換することができる。
【００３１】
本発明では、ヘッドバンド１の内部にＬＲ間ケーブル４を埋設するなどの構造を採用せず、上述のように、ヘッドバンド１の幅方向の外側に形成されたＬＲ間接続ケーブル着脱用の溝１ａにＬＲ間ケーブル４を嵌め込んで這わす構造とし、ＬＲ間ケーブル４を必要に応じ溝１ａから取り外すことができるようにしたため、使用者自身により容易にヘッドバンド交換を行うことができる。
【００３２】
図１０はヘッドホンの底面図を示し、本発明のＬＲの各イヤーカップ３のハウジング３ａの底部の適位置にジャック１１が設けられ、使用者の好みに応じいずれか一方のイヤーカップ３のジャック１１にプラグ６を接続できるようになっている。
【００３３】
そして、一方のイヤーカップ３のジャック１１に、機器（プレイヤ等）に接続されたプラグ６を接続すれば内装された音響変換器に音声信号を送ることができ、かつＬＲ間ケーブル４を介し他方へのイヤーカップ３の音響変換器に音声信号を送ることができ、ステレオを聞くことができる。
【符号の説明】
【００３４】
１      ヘッドバンド
１ａ    ＬＲ間接続ケーブル着脱用の溝
１ｂ    コードストッパー取付部
２      ハンガー
２ａ    イヤーカップ取付部
２ｂ    スライド溝
３      イヤーカップ
３ａ    ハウジング
３ｂ    イヤーパッド
３ｃ    着脱部
４      ＬＲ間ケーブル
４ａ    ループ部
５      ケーブル
６      プラグ
７      スライダー
７ａ    ジョイント部
７ｂ    板状部
７ｃ    スライド部
７ｄ    スライダー基部
８      コードストッパー
８ａ    上面部
８ｂ    側面部
８ｃ    端面部
９      磁性板
１０    マグネット
１０ａ  両面テープ
１１    ジャック
ａ      第１のケーブル収納部
ｂ      第２のケーブル収納部
【図１】
2015104029.tif 000003
【図２】
2015104029.tif 000004
【図３】
2015104029.tif 000005
【図４】
2015104029.tif 000006
【図５】
2015104029.tif 000007
【図６】
2015104029.tif 000008
【図７】
2015104029.tif 000009
【図８】
2015104029.tif 000010
【図９】
2015104029.tif 000011
【図１０】
2015104029.tif 000012